(57)【特許請求の範囲】
【請求項１】
手首内側に装着するＬＥＤライトケース（１）において、光触媒反応の促進を目的とする光を掌へ照射するためのＬＥＤ（３）を設け、前記ＬＥＤ（３）に電力を供給するための電源部（４）とスイッチ」（５）共に設け、さらに手首に装着するための装着ベルト（２）を手首に接する面に設けることで、手首への脱着、携帯が可能になることを特徴とする、掌用光触媒殺菌ライト。
【請求項２】
前記ＬＥＤライトケース（１）において、手首に接する面にクリップ状の挟み具としての装着クリップ（９）を設けることにより、前期装着ベルト（２）への脱着を可能とすることを特徴とする、請求項１記載の掌用光触媒殺菌ライト。
【請求項３】
前記ＬＥＤ（３）において、発光源を紫外線発光ダイオード（ＵＶＬＥＤ）とすることを特徴とする、請求項１または請求項２に記載の掌用光触媒殺菌ライト。
【請求項４】
前記ＬＥＤ（３）において、手首に対し平行に保った掌への照射角（１０）が、１０度以上から３０度以内になるよう設置角度を調整し設けることを特徴とする、請求項１ないし請求項３のいずれか一項に記載の掌用光触媒殺菌ライト。
【発明の詳細な説明】
【技術分野】
【０００１】  本発明は、光触媒反応を促進するためのライトに関し、特に掌を殺菌するため、手首に脱着及び携帯可能な光触媒殺菌ライトに関する。
【背景技術】
【０００２】  従来、光触媒反応による殺菌作用は、タイルや衣類などに酸化チタンを塗布し、蛍光灯や太陽光などの光源により光触媒反応を促進させる事が知られている。【０００３】  また、人体への紫外線照射による殺菌方法には、細菌感染による皮膚疾患の治療用として、疾患部分に短時間直接紫外線を照射する紫外線殺菌灯が存在し市販されている。【０００４】  そして、ＬＥＤライトを手首に装着する特許文献１では、手の甲へＬＥＤ照射による光の反射光を受光する事により、操作信号を出力する事が記載されている。【０００５】  さらに、特許文献２では手元用照明器具として、手首に装着した電源供給部からの電流により、指先に設けられたＬＥＤが発光し手元を照らすことが記載されている。【０００６】  また、特許文献３ではフレキシブルチューブの先端にＬＥＤを設ける事により、照射範囲を広げる事ができ、指先作業の邪魔にもなりにくい事が記載されている。
【特許文献１】特許公開２００８−２７２５３号
【特許文献２】特許公開２００８−８４８４４号
【特許文献３】特許公開２００７−４８５１８号
【発明の開示】
【発明が解決しようとする課題】
【０００７】  次のような問題点があった。
医療現場や食品加工現場などでは、掌の殺菌作業として手洗い及びアルコール消毒などの方法があり、さらにより細菌の感染を予防することが必要な場合は、手袋を着用する事が通常の方法である。
しかし、殺菌作業後の細菌感染には対応できず、殺菌効果を持続させるため殺菌作業を繰り返す必要がある。【０００８】  さらに、光触媒効果による製品において、屋内又は屋外で使用する場合とでは光触媒反応に違いがあり、屋内で使用する場合は蛍光灯などの照明器具のため反応効率が悪い。【０００９】  さらに、紫外線殺菌灯においては、波長約２５４ｎｍ付近の人体に有害な紫外線を使用しているため、身体に装着し使用することは危険である。【００１０】  次に、手の甲にＬＥＤを照射する特許文献１においては、殺菌することが目的である本発明とは根本的に異なり、殺菌効果を期待する場合は、接触感染の割合が高い掌にＬＥＤを照射することが重要である。そしてさらに、傾斜角を形成しているＬＥＤ土台部分の形状が、多種多様の器具を使用する医療現場では器具に引っ掛かり易く邪魔になる。【００１１】  そして、本発明と目的が異なる特許文献２では、照明器具として記載されており、指先にＬＥＤを設けることにより照射範囲が限られ、掌へ照射することには対応できない。【００１２】  さらに、本発明と目的が異なる特許文献３では、フレキシブルチューブを介してのＬＥＤ照射のため広範囲に照射できるが、フレキシブルチューブが邪魔になり物を掴む作業や、道具を使用する作業には対応できない。
本発明は、以上の問題を解決するためになされたものである。
【課題を解決するための手段】
【００１３】  光触媒反応の光源となるＬＥＤ３と電力を供給する電源部４と共にスイッチ５を設けたＬＥＤライトケース１を、装着ベルト２を介して手首内側に装着し、酸化チタンを塗布した手袋の掌部分にＬＥＤ３を照射することにより、光触媒反応を促進させることにより殺菌効果が発生する。
本発明は以上の構成よりなる掌用光触媒殺菌ライトである。
【発明の効果】
【００１４】  本発明においては、酸化チタンを塗布した手袋に本発明の光触媒殺菌ライトを照射し続ける限り、光触媒反応による殺菌効果は持続され、常に良好な衛生環境を維持でき、従来の殺菌作業を繰り返す必要もない。
また、本発明の特徴である手首に装着携帯できるため、場所も選ぶ必要がなく、突起部分が形成されていないため、動作作業にも邪魔にならず対応できる。【００１５】  そして、本発明で利用している光触媒反応での殺菌効果は、細菌及びウィルスを死滅させることは勿論、死骸及び、死骸から発生する毒素も消滅させることができ、食品加工現場では食中毒を、医療現場では院内感染を予防できる。
【発明を実施するための最良の形態】
【００１６】  次に、本発明を図面を参照しながら実施形態について説明する。
ＬＥＤライトケース１においては、作業の邪魔にならないよう突起部分のない形状とし、前方のＬＥＤ３配設場所付近に開閉口８を設け、その内部に設けた電源部４に備えるための電池１３は単四電池４本であるが、ボタン電池などの小型電池に変更することでＬＥＤライトケース１を小型化できる。【００１７】  そして、ＬＥＤライトケース１の内部に、電源部４及びスイッチ５を設けることにより突起部分をなくすことができ、防水効果も期待できる。【００１８】  ＬＥＤ３においては、酸化チタンでの光触媒反応がもっとも促進する、波長約３６０ｎｍ以上から波長約３８０ｎｍ以下の安全な紫外線域のＵＶＬＥＤを設けるが、今日での技術では可視光線でも光触媒反応する触媒が開発されているため、紫外線波長域に限らず波長約３８１ｎｍ以上の可視光線域のＬＥＤを設けてもよい。【００１９】  また図４を参照し、ＬＥＤ３の設置角度は照射角１０に連動し、手首に対し掌が平行状態の時に１０度以上から３０度以下の範囲の照射角１０になるように設置角度を調整し、ＬＥＤライトケース１内部の基板１１に接合させ掌側側面に設ける。【００２０】  そして図１の実施形態は、ＬＥＤライトケース１に設けたベルト溝６に挿入された装着ベルト２を手首に巻きつけ、固定具７により固定する。
また、装着ベルト２をリストバンドに、固定具７を面ファスナーやマグネットボタンなどに変更でき、市販されている物を利用すればコストも抑えられる。【００２１】  次に図２の実施形態は、腕時計使用時を前提として、腕時計手首内側のベルト部分に装着クリップ９をベルトを挟むように装着することにより、腕時計が邪魔にならず図１の実施形態と同様に実施できる。【００２２】  図３を参照して、電源部４は電池１３を備えるための収納ボックス１４と、そこから伸びるリード線１２からなり、開閉口８を開口することで電池１３の出し入れが容易にできる。【００２３】  次にスイッチ５においては、ＬＥＤライトケース１内部に設けられた基板１１に接合させ、開閉口８を開口することでＯＮ、ＯＦＦのスイッチ操作が可能になる。【００２４】  そして、ＬＥＤ３及びスイッチ５を接合した基板１１においては、抵抗器を配設して電力を供給するため電源部４からのリード線１２を接合する。【００２５】  図５の実施例には、右手首に装着しているが通常左右両手に装着する必要があり、左手首にも同様の本発明の光触媒殺菌ライトを装着させる。
しかし、一方の手首に図１の本発明の光触媒殺菌ライトを、他方の手首に図２の取り付け光触媒殺菌ライトを併用してもよい。【００２６】  このような構成を備えた本発明の光触媒殺菌ライトの実施手順は、酸化チタンを塗布した手袋を着用し、本発明の光触媒殺菌ライトの装着ベルト２を手首に装着させ、開閉口８を開口し内部のスイッチ５をＯＮにすると、ＬＥＤ３が点灯し掌に照射することにより光触媒反応による殺菌効果が発生する。【００２７】  尚、本発明の光触媒殺菌ライトによる照射範囲においては、掌は勿論指紋表面側の指先部分まで届くため、これまで記載されている掌とは指紋表面側の指部分も含むものとする。
【図面の簡単な説明】
【００２８】
【図１】  本発明の光触媒殺菌ライトを示す斜視図である。
【図２】  本発明の取り付け光触媒殺菌ライトを下方向から示す斜視図である。
【図３】  図１、図２に示す本発明の光触媒殺菌ライト開口時の内部側面図である。
【図４】  図１、図２に示す本発明の光触媒殺菌ライトのＬＥＤ配置平面図である。
【図５】  図１に示す本発明の光触媒殺菌ライトを右手首に装着した状態を示す斜視図である。
【符号の説明】  １  ＬＥＤライトケース
２  装着ベルト
３  ＬＥＤ
４  電源部
５  スイッチ
６  ベルト溝
７  固定具
８  開閉口
９  装着クリップ
１０  照射角
１１  基板
１２  リード線
１３  電池
１４  収納ボックス
【要約】
【課題】    酸化チタンを塗布した手袋に、当該光触媒殺菌ライトの光を照射する事により光触媒反応が促進され、効率よく且つ持続的に殺菌できる掌用光触媒殺菌ライトを提供する。
【解決手段】  手首に装着ベルト２を介して装着したＬＥＤライトケース１に、光触媒反応を促進するための発光源となるＬＥＤ３と、電力を供給する電源部４と共にスイッチ５を設け、酸化チタンを塗布した手袋の掌部分に、前記ＬＥＤ３からの光を照射する構造である。
【選択図】図１【図１】
0005671182.tif 000002
【図２】
0005671182.tif 000003
【図３】
0005671182.tif 000004
【図４】
0005671182.tif 000005
【図５】
0005671182.tif 000006